(57)【要約】  本開示は、着用者の腰仙部にサポートを提供するウェットスーツに関する。ウェットスーツは、着用者の腰仙部に設けられた腰部分を有する、発泡ゴム又はその他のウェットスーツ材料の少なくとも１つの層を有する。特定の実施形態では、ウェットスーツは、腰部分によって着用者の腰仙部に提供されるサポートのレベルを着用者が選択的に変更できるようにする、少なくとも１つの引張機構を有する。
2021508010.tif 000002
【特許請求の範囲】
【請求項１】
ウェットスーツの着用者の腰仙部に調整可能なサポートを提供する前記ウェットスーツであって、前記ウェットスーツは、
前記着用者の前記腰仙部に設けられた腰部分を有する材料の少なくとも１つの層と、
前記腰部分によって前記着用者の前記腰仙部に提供されるサポートのレベルを前記着用者が選択的に変更できるようにする、少なくとも１つの引張機構と、
を備えるウェットスーツ。
【請求項２】
前記材料は発泡ゴムである、請求項１に記載のウェットスーツ。
【請求項３】
前記材料の少なくとも１つの層に積層されたナイロンの層をさらに備える、請求項１に記載のウェットスーツ。
【請求項４】
前記腰部分は、前記少なくとも１つの引張機構によって支持された１又は複数の支柱を備える、請求項１に記載のウェットスーツ。
【請求項５】
前記１又は複数の支柱は高密度ポリエチレンを備える、請求項４に記載のウェットスーツ。
【請求項６】
前記腰部分は、前記少なくとも１つの引張機構によって支持された１又は複数の圧力パッドを備える、請求項１に記載のウェットスーツ。
【請求項７】
前記腰部分は、前記着用者の胴体全体の周りに延在する、請求項１に記載のウェットスーツ。
【請求項８】
ウェットスーツの着用者の腰仙部に調整可能なサポートを提供する前記ウェットスーツであって、前記ウェットスーツは、
前記着用者の前記腰仙部に設けられた腰部分と、スロットと、ファスナーと、障壁パネルとを有する発泡ゴムの少なくとも１つの層を備え、前記スロットは、前記発泡ゴムの少なくとも１つの層に開口部を画定して、第１縁部及び第２縁部を有し、前記ファスナーは、開放位置から閉鎖位置に移動することによって前記開口部を閉鎖するように構成されており、前記腰部分によって前記着用者の前記腰仙部に提供されるサポートのレベルは、前記開口部が開放しているときよりも前記開口部が閉鎖しているときの方が大きく、前記障壁パネルは前記第１縁部及び前記第２縁部に取り付けられて、前記ファスナーが少なくとも開放位置にあるときに液体が前記ウェットスーツに侵入するのを防ぐように前記スロットの下にある、ウェットスーツ。
【請求項９】
前記発泡ゴムの少なくとも１つの層に積層されたナイロンの層をさらに備える、請求項８に記載のウェットスーツ。
【請求項１０】
前記腰部分は１又は複数の支柱を備える、請求項８に記載のウェットスーツ。
【請求項１１】
前記１又は複数の支柱は高密度ポリエチレンを備える、請求項１０に記載のウェットスーツ。
【請求項１２】
前記腰部分は１又は複数の圧力パッドを備える、請求項８に記載のウェットスーツ。
【請求項１３】
前記腰部分は、前記着用者の胴体全体の周りに延在する、請求項８に記載のウェットスーツ。
【請求項１４】
ウェットスーツの着用者の腰仙部に調整可能なサポートを提供する前記ウェットスーツであって、前記ウェットスーツは、
発泡ゴムの少なくとも１つの層と、
前記発泡ゴムの少なくとも１つの層に隣接し、前記着用者の胴体の少なくとも一部の周りに延在する腰部分であって、前記腰部分は、前記腰部分によって前記着用者の前記腰仙部に提供されるサポートのレベルを前記ウェットスーツの前記着用者が選択的に変更できるように、弾性ストラップを有する、腰部分と、
を備えるウェットスーツ。
【請求項１５】
前記腰部分は、前記弾性ストラップに結合された１又は複数の支柱を備える、請求項１４に記載のウェットスーツ。
【請求項１６】
前記１又は複数の支柱は、前記弾性ストラップに対して垂直に配置されている、請求項１５に記載のウェットスーツ。
【請求項１７】
前記１又は複数の支柱の長さは、前記着用者の前記腰仙部を横切って延在する、請求項１５に記載のウェットスーツ。
【請求項１８】
前記１又は複数の支柱は、垂直軸に沿って前記腰部分の高さと同じ広がりを占める、請求項１５に記載のウェットスーツ。
【請求項１９】
前記１又は複数の支柱は、前記腰部分の長さに沿って離間している、請求項１５に記載のウェットスーツ。
【請求項２０】
前記１又は複数の支柱は高密度ポリエチレンを備える、請求項１５に記載のウェットスーツ。
【請求項２１】
前記１又は複数の支柱は少なくとも部分的に、前記弾性ストラップ及び前記発泡ゴムの最小の一層よりも高い引張強度を有する材料で形成されている、請求項１５に記載のウェットスーツ。
【請求項２２】
前記腰部分は、前記弾性ストラップに結合された１又は複数の圧力パッドを備える、請求項１４に記載のウェットスーツ。
【請求項２３】
前記１又は複数の圧力パッドは、垂直軸に沿って前記腰部分の高さと同じ広がりを占める、請求項２２に記載のウェットスーツ。
【請求項２４】
前記１又は複数の圧力パッドは、前記腰部分の長さに沿って離間している、請求項２２に記載のウェットスーツ。
【請求項２５】
前記発泡ゴムの少なくとも１つの層に積層されたナイロンの層をさらに備える、請求項１４に記載のウェットスーツ。
【請求項２６】
前記腰部分は、前記着用者の胴体全体の周りに延在する、請求項１４に記載のウェットスーツ。
【請求項２７】
前記弾性ストラップは、中央部分及び２つの末端部分を備え、前記腰部分によって前記着用者の前記腰仙部に提供される前記サポートのレベルは、前記２つの末端部分の一方又は両方の位置を変更することによって調整される、請求項１４に記載のウェットスーツ。
【請求項２８】
前記２つの末端部分は、前記発泡ゴムの少なくとも１つの層を通過する、請求項２７に記載のウェットスーツ。
【請求項２９】
前記発泡ゴムの少なくとも１つの層に開口部を画定するスロットであって、前記開口部は第１縁部及び第２縁部を有する、スロットと、開放位置から閉鎖位置に移動することによって前記開口部を閉鎖するように構成されたファスナーと、をさらに備え、前記腰部分は、前記第１縁部に結合された第１末端と、前記第２縁部に結合された第２末端とを備え、前記腰部分によって前記着用者の前記腰仙部に提供される前記サポートのレベルは、前記開放位置と前記閉鎖位置との間の前記ファスナーの移動によって調整される、請求項１４に記載のウェットスーツ。
【請求項３０】
前記ファスナーが前記開放位置にあるときに液体が内部に侵入するのを防ぐように、垂直スロットに隣接してその下にある前記ウェットスーツの前記内部に、前記第１縁部及び前記第２縁部に取り付けられた、伸縮性で実質的に耐水性の材料の障壁パネルをさらに備える、請求項２９に記載のウェットスーツ。
【請求項３１】
前記ファスナーはジッパーである、請求項２９に記載のウェットスーツ。
【請求項３２】
前記腰部分は前記ウェットスーツに埋め込まれている、請求項１４に記載のウェットスーツ。
【請求項３３】
前記腰部分は前記胴体の周りで連続している、請求項１４に記載のウェットスーツ。
【請求項３４】
前記発泡ゴムの少なくとも１つの層は第１層及び第２層を備え、前記腰部分は、前記第１層と前記第２層との間に挿入されている、請求項１４に記載のウェットスーツ。
【請求項３５】
前記腰部分は、前記弾性ストラップに結合された１又は複数の支柱を備え、前記１又は複数の支柱は、前記第１層と前記第２層との間に挿入されている、請求項３４に記載のウェットスーツ。
【請求項３６】
前記腰部分は、前記弾性ストラップに結合された１又は複数の圧力パッドをさらに備える、請求項１５に記載のウェットスーツ。
【請求項３７】
ウェットスーツの着用者の腰仙部にサポートを提供するように構成された前記ウェットスーツであって、前記ウェットスーツは、前記着用者の前記腰仙部に設けられた腰部分を有する発泡ゴムの少なくとも１つの層を備える、ウェットスーツ。
【発明の詳細な説明】
【技術分野】
【０００１】
本開示の実施形態は、概して、背部痛又はその他の背部の問題を緩和するのを助けるため、又は単純に背部の問題を防止するためのサポートを提供するための、一体型腰部サポートを有するウェットスーツに関する。実施形態は、サーフィン並びにダイビング、水泳、水球、又はその他のウォーターアクティビティなどのウォータースポーツを含む、多くの異なるアクティビティに使用されることが可能である。
【背景技術】
【０００２】
ウェットスーツは、体温を維持するため、サンゴ又はサーフボードのフィンなどの野生生物及び鋭利な物体から皮膚を保護するため、及び皮膚発疹の摩擦を防ぐために、ダイバー、サーファー、ボードセーラー、スイマーなどが着用するぴったりした透水性のスーツである。現代のウェットスーツは通常、エラストマーフォームなどの柔軟で断熱性のある材料でできており、その一例はネオプレンフォームである。
【０００３】
様々なウォーターアクティビティは人の背部にストレスを引き起こし、その結果、筋緊張及びその他の傷害を招く可能性がある。サーフィンは、特に背部にストレスがかかり、多くのサーファーは、脊柱管狭窄症、椎間関節症候群、椎間板ヘルニア、座骨神経痛などの、慢性の背部痛又は繰り返される背部の障害に悩まされている。サーフィンのスポーツは、背部及び腰部の筋肉を含む、多くの異なる筋群の使用を要する。サーフィンは、長時間腹這いでパドリングし、「ポップアップ」すなわち腹這いから立ち上がる動作ができなければならない。加えて、サーファーが波の上で立ち上がったら、彼らは速度を上げ、ボードを波の様々な部分に誘導し、技を繰り出し、又は確実に波の上に留まれるように概して波の正しい区画で位置を取るために、様々な操作を採用し得る。これらの操作は、比較的単純なものから非常に高度なものまで様々である。より高度な操作は、体幹と背部の強度、ひねり、及び屈曲を大量に必要とし得る。その結果、これらの操作は、脊椎並びに周囲の筋肉及び靱帯に大量のトルクをかける可能性がある。
【０００４】
前述の操作に加えて、サーフボード上でのパドリング及びポップアップもまた背部及び腰部の筋肉の使用を必要とし、サーファーの背部にストレスを引き起こす可能性がある。その結果、多くのサーファーは、サーフィンによって引き起こされた背部の傷害に苦しみ、持続的な背部痛を訴える人もいる。加えて、ウェイクボード、カイトボード、パドルボード、スキー、チュービングなどのその他の多くのウォーターアクティビティは、腰背部に著しいストレスを引き起こす可能性がある。
【発明の概要】
【発明が解決しようとする課題】
【０００５】
様々なタイプのウェットスーツが知られているが、全てではないとしてもほとんどのウェットスーツは一般に柔軟性があり、剛性若しくは背部又は腰部のサポートをほとんど又はまったく提供していない。したがって、腰部及び／又は背部サポートを提供することが可能な改善されたウェットスーツ設計の必要性が残っている。
【課題を解決するための手段】
【０００６】
本開示の装置及びシステムはいくつかの特徴を有するが、そのうちのどれ一つとしてその望ましい特質を単独で担うものではない。後述の請求項によって表されるとおりの本発明の範囲を限定することなく、より顕著なその特徴をここで簡単に説明する。この議論を検討した後、特に「発明を実施するための形態」と題されたセクションを読んだ後、このウェットスーツの特徴がどのようにして現在のウェットスーツに対していくつかの利点を提供するかを理解するだろう。
【０００７】
一態様は、ウェットスーツの着用者の腰仙部に調整可能なサポートを提供するウェットスーツである。ウェットスーツは、着用者の腰仙部に設けられた腰部分を有する材料の少なくとも１つの層を備える。ウェットスーツは、腰部分によって着用者の腰仙部に提供されるサポートのレベルを着用者が選択的に変更できるようにする、少なくとも１つの引張機構をさらに含む。
【０００８】
別の態様は、ウェットスーツの着用者の腰仙部に調整可能なサポートを提供するウェットスーツである。ウェットスーツは、着用者の腰仙部に設けられた腰部分を有する発泡ゴムの少なくとも１つの層と、スロットと、ファスナーと、障壁パネルとを備える。スロットは、発泡ゴムの少なくとも１つの層に開口部を画定し、第１縁部及び第２縁部を有する。ファスナーは、開放位置から閉鎖位置まで移動することによって開口部を閉鎖するように構成されている。腰部分によって着用者の腰仙部に提供されるサポートのレベルは、開口部が開放しているときよりも開口部が閉鎖しているときの方が大きい。障壁パネルは、第１縁部及び第２縁部に取り付けられており、ファスナーが少なくとも開放位置にあるときに液体がウェットスーツに侵入するのを防ぐように、スロットの下にある。
【０００９】
別の態様は、ウェットスーツの着用者の腰仙部に調整可能なサポートを提供するウェットスーツである。ウェットスーツは、発泡ゴムの少なくとも１つの層と、発泡ゴムの少なくとも１つの層に隣接した腰部分とを備える。腰部分は、着用者の胴体の少なくとも一部の周りに延在している。腰部分は、腰部分によって着用者の腰仙部に提供されるサポートのレベルをウェットスーツの着用者が選択的に変更できるように、弾性ストラップを有する。
【００１０】
別の態様は、ウェットスーツの着用者の腰仙部にサポートを提供するように構成されたウェットスーツである。ウェットスーツは、着用者の腰仙部に設けられた腰部分を有する発泡ゴムの少なくとも１つの層を備える。
【図面の簡単な説明】
【００１１】
【図１Ａ】本発明の好適な実施形態による腰部サポート機能を有するウェットスーツの正面図である。
【図１Ｂ】内部構成要素が破線で示された、図１Ａからのウェットスーツの背面図である。
【図１Ｃ】線１Ｃ−１Ｃによって囲まれた図１Ｂの腰部分の拡大部分背面図である。
【図１Ｄ】線１Ｄ−１Ｄに沿って図１Ｃの腰部分を通る水平断面図である。
【図１Ｅ】線１Ｅ−１Ｅに沿って図１Ｃの腰部分を通る垂直断面図である。
【図２Ａ】腰部分の周りの外部ストラップの形態の１又は複数の引張機構を有するウェットスーツの別の実施形態の正面図である。
【図２Ｂ】腰部分の周りの外部ストラップを示す、図２Ａからのウェットスーツの背面図である。
【図２Ｃ】腰部分の周りの外部ストラップを示す、図２Ａからのウェットスーツの右側面図である。
【図３Ａ】腰部分の周りの部分的内部ストラップを有するウェットスーツの別の実施形態の正面図である。
【図３Ｂ】腰部分の周りの部分的内部ストラップを示す、図３Ａからのウェットスーツの背面図である。
【図３Ｃ】腰部分の周りの部分的内部ストラップを示す、図３Ａからのウェットスーツの右側面図である。
【図４Ａ】引張ファスナーを備える腰部分を有するウェットスーツの別の実施形態の正面図である。
【図４Ｂ】円４Ｂ−４Ｂで示される図４Ａのウェットスーツの一部の拡大図。
【図４Ｃ】腰部分を示す、図４Ａのウェットスーツの裏面図である。
【図４Ｄ】開放位置の引張ファスナーを示す、図４Ａのウェットスーツの右側面図である。
【図４Ｅ】図４Ｄのウェットスーツの線４Ｅ−４Ｅに沿って腰部分を通る水平断面図である。
【図５Ａ】１又は複数の外部ストラップ及び内部腰部サポート機能を有するウェットスーツの別の実施形態の正面図である。
【図５Ｂ】内部構成要素が破線で示された、図５Ａのウェットスーツの背面図である。
【図５Ｃ】線５Ｃ−５Ｃで囲まれた図５Ｂのウェットスーツの腰部分の拡大図である。
【図５Ｄ】図５Ａのウェットスーツの右側面図である。
【図５Ｅ】線５Ｅ−５Ｅに沿った図５Ｃの腰部分の水平断面図である。
【図５Ｆ】線５Ｆ−５Ｆに沿った図５Ｃの腰部分の垂直断面図である。
【図６Ａ】部分的内部ストラップ及び腰部サポート機能を有するウェットスーツの別の実施形態の正面図である。
【図６Ｂ】破線内に腰部分の腰部サポート機能の内部構成要素を示す、図６Ａのウェットスーツの背面図である。
【図６Ｃ】線６Ｃ−６Ｃで囲まれた図６Ｂの腰部分の拡大図である。
【図６Ｄ】図６Ａからのウェットスーツの部分右側面図である。
【図６Ｅ】線６Ｅ−６Ｅで取られた図６Ｃの腰部分の水平断面図である。
【図６Ｆ】線６Ｆ−６Ｆで取られた図６Ｃの腰部分の垂直断面図である。
【図７Ａ】引張ファスナー及び腰部サポート機能を利用する腰部分を有するウェットスーツの別の実施形態の正面図である。
【図７Ｂ】線７Ｂ−７Ｂで囲まれた図７Ａのウェットスーツの一部の拡大図である。
【図７Ｃ】図７Ａのウェットスーツの裏面図である。
【図７Ｄ】線７Ｃ−７Ｃで囲まれた図７Ｃの腰部分の拡大図である。
【図７Ｅ】線７Ｅ−７Ｅで取られた図７Ｄの腰部分を通る水平断面図である。
【図７Ｆ】線７Ｆ−７Ｆに沿った図７Ｄの腰部分を通る垂直断面図である。
【図７Ｇ】図７Ａからのウェットスーツの腰部分の部分右側面図である。
【図７Ｈ】線７Ｈ−７Ｈを横切って取られた図７Ｇの腰部分の水平断面図である。
【発明を実施するための形態】
【００１２】
本明細書に記載されるいずれの特徴又は特徴の組み合わせも、このような組み合わせに含まれる特徴が文脈、この説明、及び当業者の知識から明らかとなるように相互に矛盾しない限り、本開示の範囲に含まれる。たとえば、ウェットスーツの異なる実施形態からの特徴は、やはり本開示の範囲に含まれる別の実施形態を形成するために組み合わせられてもよい。加えて、いずれの特徴又は特徴の組み合わせも、本開示のいずれの実施形態からも特に除外され得る。本開示を要約する目的で、本開示の特定の態様、利点、及び新規な特徴が本明細書に記載される。当然ながら、このような態様、利点、又は特徴の全てが、必ずしも本開示のいずれか特定の実施形態に存在するとは限らない。
【００１３】
本明細書に提示される実施形態は、例示によるものであり、限定によるものではない。以下の詳細な説明の意図は、例示的な実施形態を議論しているものの、本開示の精神及び範囲に含まれ得るものとして、実施形態の全ての修正、代替、及び同等物に及ぶと解釈されるべきである。
【００１４】
本開示の実施形態は、腰部サポートウェットスーツに関する。ウェットスーツの実施形態は、一体型の背部及び／又は腰部サポートを備えることができる。特定の実施形態は、腰仙及び／又は脊椎傍腰部に対して圧力を提供することができる。いくつかの実施形態は、腰仙及び／又は脊椎傍腰部への剛性及びサポートを高めることができる。この圧力及び／又はサポートは、人がウォーターアクティビティに取り組んでいる間、その領域の筋肉の緊張を和らげることができる。筋緊張を和らげることにより、本開示の範囲に含まれる実施形態は、背部の傷害のリスクを低減でき、長期間にわたってウォーターアクティビティを停止する必要なしに、持続する背部の傷害から人々が回復することを可能にし得る。さらに、腰部サポートウェットスーツは、既に背部の問題を抱えている場合、背部のサポートを有することが依然として有益であり得るので、その人の背部にあまりストレスがかからない活動においても有用であり得る。
【００１５】
図１Ａは、本発明の一実施形態による腰部サポート機能を有するウェットスーツ１０の正面図である。ウェットスーツ１０は、発泡ゴムを備えることができる。特定の実施形態では、発泡ゴムはネオプレンである。特定の実施形態では、ウェットスーツ１０は、発泡ゴム又は別のウェットスーツ材料の１又は複数のパネルを備える。
【００１６】
特定の実施形態では、パネルは、積層ナイロン又はその他の材料の少なくとも１つの内層を備える。積層された内層は、強度及びさらなる耐水性を提供できる。一部のパネルは、他のパネルよりも多少柔軟であり得る。特に、ウェットスーツ１０の上体部分の特定の領域は、ウェットスーツ１０の胴体部分のほとんどよりも著しく伸縮性があり、柔軟であり得る。この構造は、腕の動きにあまり制限をかけずに、胴体及び脚の領域の断熱性を高める。ウェットスーツ１０の特定の実施形態は全体が、内側及び外側のナイロン又はその他の材料の２つの積層の間に挟まれた発泡ゴムで構成されている。このタイプのウェットスーツ材料は、非常に耐久性があり、高い断熱能力を有している。ウェットスーツ１０の特定の実施形態は、通常は１ミリメートルから８ミリメートルの範囲の、１つ、２つ、又は３つの異なる厚さのパネルで構成されている。特定の実施形態では、１又は複数のパネルは変動する厚さを有する。
【００１７】
図１Ａに示されるウェットスーツ１０は、腰部分２０及び上部胴体部分４０を備える。特定の実施形態では、腰部分２０は、ウェットスーツに埋め込まれている。腰部分２０は、発泡ゴム又はその他のウェットスーツ材料の層の間に挿入され得る。上部胴体部分４０は、ウェットスーツ１０の首から腰背部領域及び前側の胸郭の下半分まで延在する。上部胴体部分４０は、ウェットスーツ１０の着用者の腕の少なくとも一部を覆ってもよい。腰部分２０は、腰背部又は腰部の少なくとも一部を覆う。腰部分２０は一般に、着用者の胸郭の下半分のどこかから、ウエスト又はウエストの少し下までに及ぶ。腰部分２０は、ウェットスーツの全周にわたって、すなわち前部及び後部に延在し得る。
【００１８】
特定の実施形態では、ウェットスーツ１０は、脚部分３０を備える。ウェットスーツ１０の脚部分３０は、ほぼ着用者のウエストから足首までの領域の一部を覆うことができる。
【００１９】
特定の実施形態では、腰部分２０は、図１Ｂ及び図１Ｃに示されるように、１又は複数の支柱２２を備えることができる。特定の実施形態では、１又は複数の支柱２２は、発泡ゴム又はその他のウェットスーツ材料の内部に設けられる。特定の実施形態では、腰部分２０は、１又は複数の圧力パッド２４を備えることができる。いくつかの実施形態では、１又は複数の支柱２２及び／又は１又は複数の圧力パッド２４は、ウェットスーツ１０に組み込まれることが可能である。ウェットスーツ１０に組み込まれた特定の実施形態では、１又は複数の支柱２２及び／又は１又は複数の圧力パッド２４は、ウェットスーツ１０に埋め込まれることが可能である。特定の実施形態では、１又は複数の支柱２２及び／又は１又は複数の圧力パッド２４は、サポート及び剛性を提供することができる。
【００２０】
当業者は、ウェットスーツ１０の設計が図１Ａに示される設計とは多くの点で異なり得ることを認識するだろう。たとえば、図１Ａは、標準的なフルレングスのチェストジップウェットスーツ１０を示している。ウェットスーツ１０のいくつかの実施形態では、上部分４０は上腕二頭筋領域の中央付近で終了してもよく、脚部分３０は四頭筋領域の中央付近で終了してもよく、「スプリングスーツ」としても知られる設計である。特定の実施形態では、上部分４０の腕はタンクトップのように切り落とされてもよい。特定の実施形態では、ウェットスーツ１０は下部分３０を含まなくてもよく、又は下部分３０は脚の上部で終了してもよい。
【００２１】
特定の実施形態では、ウェットスーツ１０は、人がウェットスーツ１０を着やすくするように構成された、１又は複数のファスナー１１を備える。いくつかの実施形態では、ファスナー１１は、異なる方法で配置され得る。たとえば、ネックホールを含むウェットスーツ１０の上部ピースは、開けられたときに背面でのみ接続されるように配置されることが可能であり、使用時には頭部の後に引っ張らなければならない。特定の実施形態では、ファスナー１１は、開けられたときに人がウェットスーツ１０の背面に足を踏み入れられるように、ウェットスーツ１０の背面に設けられたジッパーであり得る。チェストジップスタイルは、腰部分２０に干渉せず、ウェットスーツ１０に水が侵入するのをより良く防げるので、いくつかの実施形態では好ましい可能性がある。特定の実施形態では、ウェットスーツ１０を着やすいように、バックジップスタイルが好ましい可能性がある。バックジップ実施形態では、ジッパーが腰部分２０に到達する前に終了してもよい。別の設計では、追加のタイプのファスナー１１が好ましい可能性がある。
【００２２】
特定の実施形態では、上部胴体部分４０は、１又は複数のファスナー１１を有する。特定の実施形態では、１又は複数のファスナー１１は、ウェットスーツ１０の上部胸部領域に設けられている。各ファスナー１１は、２ピースのウェットスーツ１０を一緒に保持し、ファスナー１１が開けられたときにこれらを分離させることができる。ファスナー１１は、ファスナー１１が開けられたときにウェットスーツ１０を開くことによって人がウェットスーツ１０により容易に入れるようにすることができる。ファスナー１１に接続されたウェットスーツ１０の上部ピースは、ファスナー１１が開けられたときに横に引っ張られて、人がウェットスーツ１０に入れる、ネックホールより大きい開口部を提供することができる。加えて、ファスナー１１に接続されたウェットスーツ１０の上部ピースは、人がウェットスーツ１０に入った後に人の頭の上を摺動する、首部分を含むことができる。次に、ファスナー１１が閉められ、これによってウェットスーツ１０を人の体に固定することができる。この非限定的な実施形態では、ファスナー１１は、上部胸部を横切って水平に延びているジッパーである。
【００２３】
図１Ｂは、内部構成要素が破線で示された、図１Ａからのウェットスーツ１０の背面図である。図１Ｃは、線１Ｃ−１Ｃによって囲まれた図１Ｂの腰部分２０の拡大部分背面図である。腰部分２０は、１又は複数の支柱２２を備えることができる。特定の実施形態では、１又は複数の支柱２２は、垂直に配置されることが可能である。１又は複数の支柱２２は、腰部分２０の上部から底部まで延びることができる。いくつかの実施形態では、１又は複数の支柱２２は、腰部分２０の一部にのみ及ぶように配置されることが可能である。
【００２４】
１又は複数の支柱２２は、腰仙及び／又は脊椎傍腰部を少なくとも部分的に横切って延在し得る。１又は複数の支柱２２は、腰仙及び／又は脊椎傍腰部の筋肉に圧力を加えることができる。この圧力は、腰仙及び／又は脊椎傍腰部の筋肉の緊張を緩和し得る。当業者は、１又は複数の支柱２２が、高密度ポリエチレン、その他の類似の材料、その他のプラスチック、金属、金属合金、ポリマー、又はこれらの何らかの組み合わせを含むがこれらに限定されない、多くの異なる実質的に剛性の材料から作られることが可能であることを認識するだろう。
【００２５】
１又は複数の圧力パッド２４は、腰部分２０の上部から底部まで延びることができる。いくつかの実施形態では、１又は複数の圧力パッド２４は、腰部分２０の一部にのみ及ぶように配置されることが可能である。１又は複数の圧力パッド２４は、腰仙及び／又は脊椎傍腰部を少なくとも部分的に横切って延在し得る。特定の実施形態では、１又は複数の圧力パッド２４は、腰仙及び／又は脊椎傍腰部の筋肉に圧力を加えることができる。特定の実施形態では、１又は複数の圧力パッド２４は、１又は複数の支柱２２と一直線に配置されている。１又は複数の圧力パッド２４は、１又は複数の支柱２２の間に設けられることが可能である。特定の実施形態では、１又は複数の圧力パッド２４は、腰部分２０の長さに沿って離間している。
【００２６】
特定の実施形態では、１又は複数の圧力パッド２４は、１又は複数の支柱２２の内側に設けられることが可能である。特定の実施形態では、１又は複数の圧力パッド２４は、１又は複数の支柱２２の外側に設けられることが可能である。特定の実施形態では、１又は複数の圧力パッド２４は、１又は複数の支柱２２と同一線上になることが可能である。
【００２７】
特定の実施形態では、１又は複数の圧力パッド２４は、垂直に配置されることが可能である。特定の実施形態では、１又は複数の圧力パッド２４は、水平に配置されることが可能である。特定の実施形態では、１又は複数の圧力パッド２４は、垂直と水平との間の何らかの角度で配置されることが可能である。特定の実施形態では、１又は複数の圧力パッド２４は、腰部分２０の完全に垂直な、水平な、又は傾斜した長さに沿って延在し得る。
【００２８】
１又は複数の圧力パッド２４は、発泡体、ゴム、ラテックス、又はこれらの何らかの組み合わせを含むがこれらに限定されない、様々な異なる材料から作られることが可能である。いくつかの実施形態では、１又は複数の圧力パッド２４は、空気で満たされたポケットであるか、又はこれを含むことが可能である。空気で満たされたポケットは、ポケットの中の空気の量を調整可能にし得る。１又は複数の圧力パッド２４が空気で満たされたポケットであるか又はこれを含む実施形態では、１又は複数の圧力パッド２４は、ウェットスーツを着用している人に追加の浮力を提供することができる。特定の実施形態では、１又は複数の圧力パッド２４は、背面のくびれの曲線に設けられることが可能である。
【００２９】
特定の実施形態では、腰部分２０は、ウェットスーツ１０の別の部分とは異なる厚さのウェットスーツ材料から作られることが可能である。特定の実施形態では、腰部分２０は、ウェットスーツ１０の別の部分とは異なる材料で作られることが可能である。腰部分２０は、より高い可撓性を提供する材料で作られることが可能である。特定の実施形態では、腰部分２０は、サポート機能を強化するために、より大きな剛性を有する材料で作られることが可能である。いくつかの実施形態では、腰部分２０は、人が１又は複数の支柱２２又は１又は複数の圧力パッド２４を選択及び変更できるようにするために、異なる材料から作られることが可能である。特定の実施形態では、腰部分２０の少なくとも一部は、胴体部分４０又は脚部分３０と同じパネルで作られることが可能である。
【００３０】
図１Ｄ及び図１Ｅは、１又は複数の支柱２２及び１又は複数の圧力パッド２４を含むウェットスーツ１０の実施形態の断面図である。図１Ｄは、線１Ｄ−１Ｄに沿って図１Ｃの腰部分２０を通る水平断面図である。図１Ｄでは、１又は複数の支柱２２は、発泡ゴム又はその他のウェットスーツ材料の内部に設けられている。特定の実施形態では、１又は複数の支柱２２は、ウェットスーツ材料の第１層とウェットスーツ材料の第２層との間に設けられることが可能である。特定の実施形態では、１又は複数の支柱２２は、ウェットスーツ１０の内側又は外側の近くに配置されることが可能である。特定の実施形態では、１又は複数の支柱２２は、発泡ゴム又はその他のウェットスーツ材料の内側又は外側に設けられることが可能である。１又は複数の支柱２２が発泡ゴム又はその他のウェットスーツ材料の内側又は外側に配置されている実施形態では、１又は複数の支柱２２及び／又は１又は複数の圧力パッド２４は、ウェットスーツ１０に取り外し可能に組み込まれることが可能である。特定の実施形態では、ウェットスーツ材料のバンドが、１又は複数の支柱２２及び／又は１又は複数の圧力パッド２４に接続している。特定の実施形態では、ウェットスーツ材料のバンド又は大きいストリップにより、１又は複数の支柱２２及び／又は１又は複数の圧力パッド２４を取り外し及び／又は交換することができる。１又は複数の支柱２２及び／又は１又は複数の圧力パッド２４はまた、発泡ゴム又は別のウェットスーツ材料の２つの分離した層の間に配置されることも可能である。
【００３１】
図１Ｅは、線１Ｅ−１Ｅに沿って図１Ｃの腰部分２０を通る垂直断面図である。この図は、１又は複数の圧力パッド２４の１つの圧力パッド２４の後に設けられた１又は複数の支柱２２の１つの支柱を示している。特定の実施形態では、１又は複数の支柱２２及び／又は１又は複数の圧力パッド２４は、ウェットスーツ１０に埋め込まれることが可能である。特定の実施形態では、ウェットスーツ１０を着用することによって、腰仙及び／又は脊椎傍腰部に張力又は圧力を加えることができる。特定の実施形態では、１又は複数の支柱２２及び／又は１又は複数の圧力パッド２４は、ウェットスーツ材料の張力の結果として圧力を加えることができる。加えて、いくつかの実施形態では、支柱２２がなくてもよい。いくつかの実施形態では、圧力パッド２４がなくてもよい。いくつかの実施形態では、１又は複数の支柱２２を１又は複数の圧力パッド２４に置き換えることができる。
【００３２】
図２Ａから図２Ｃは、１又は複数の内部又は外部引張機構を有するウェットスーツ２１０の実施形態を示す。特定の実施形態では、引張機構は、ウェットスーツ２１０に張力を印加又は伝達する。この引張機構は、弾性ストラップ、ワイヤ、歯車、滑車、ラッチ、及び／又は様々なその他のタイプの機械的又は電気的テンショナーで構成され得る。特定の実施形態では、引張機構は、ウェットスーツ２１０の外側のダイヤルに接続されている。ダイヤルは、張力を増減するために使用され得る。特定の実施形態では、引張機構は１又は複数のストラップ２３である。１又は複数のストラップ２３は、それ自体の弾性によって張力を受けることが可能である。１又は複数のストラップ２３は、教示された位置に固定されることによって、張力を受けることが可能である。
【００３３】
図２Ａは、ウェットスーツ２１０の正面図を示す。図示される実施形態では、引張機構は、腰部分２２０に設けられた１又は複数のストラップ２３を備える。特定の実施形態では、１又は複数のストラップ２３の各々は、中央部分及び１又は複数の末端部分を備えることができる。特定の実施形態では、１又は複数のストラップ２３は、完全にウェットスーツ２１０の外側に設けられることが可能である。特定の実施形態では、１又は複数のストラップ２３は、ウェットスーツ２１０の全周よりも多く巻き付く。特定の実施形態では、１又は複数のストラップ２３は、弾性材料を備える。特定の実施形態では、１又は複数のストラップ２３は、ウェットスーツ材料を備えることができる。特定の実施形態では、１又は複数のストラップ２３は、ウェットスーツ材料の１又は複数のバンド又はストラップを備えることができる。特定の実施形態では、１又は複数のストラップ２３は、実質的に非弾性の材料を備えることができる。
【００３４】
１又は複数のストラップ２３は、１又は複数の固定機構２６を備えることができる。特定の実施形態では、１又は複数の固定機構２６は、１又は複数のストラップ２３と一体化されている。特定の実施形態では、１又は複数の固定機構２６は、１又は複数のストラップ２３から分離している。１又は複数の固定機構２６は、一旦係合したら、１又は複数のストラップ２３が移動するのを実質的に防止することができる。いくつかの実施形態では、１又は複数の固定機構２６は、腰部分２２０が張力を失うのを防止することができる。
【００３５】
特定の実施形態では、１又は複数のストラップ２３の各々は、中央部分及び１又は複数の末端部分を備えることができる（図２Ｂに見られるとおり）。特定の実施形態では、１又は複数のストラップ２３は、ウェットスーツ２１０の右手側に設けられた１又は複数の右ストラップと、ウェットスーツ２１０の左手側に設けられた１又は複数の左ストラップとを備える。右及び左ストラップを有する特定の実施形態では、１又は複数のストラップ２３は、ストラップアンカー部分２７、中央部分、及び固定機構２６を各々備えることができる。１又は複数の固定機構２６は、ウェットスーツ２１０の腰部分２２０の外面に１又は複数のストラップ２３を取り付けるために使用され得る。特定の実施形態では、１又は複数の固定部分２６は、１又は複数のストラップ２３の末端に形成された翼である。ウェットスーツ２１０の腰部分２２０の外面に１又は複数のストラップ２３を取り付けることにより、１又は複数のストラップ２３が腰部分２２０に対する張力を維持できるようにし得る。１又は複数の固定機構２６は、一旦係合したら、１又は複数のストラップ２３が移動するのを実質的に防止することができる。特定の実施形態では、腰部分２２０の外面は、１又は複数の固定機構２６と係合、相互作用、又は嵌合する１又は複数の部分を有することができる。１又は複数の固定機構２６がベルクロ（Ｖｅｌｃｒｏ（登録商標））を備える特定の実施形態では、１又は複数の固定機構２６はベルクロ（登録商標）フックを備えることができる。１又は複数の固定機構２６がベルクロ（登録商標）フックを備える特定の実施形態では、腰部分２２０の１又は複数の部分は、ベルクロ（登録商標）ループを備えることができる。
【００３６】
着用者は、１又は複数のストラップ２３の１又は複数の末端部分の位置を変更することによって、１又は複数のストラップ２３に張力を加えることができる。いくつかの実施形態では、１又は複数のストラップ２３は、ウェットスーツ２１０の全周に巻き付く。特定の実施形態では、１又は複数のストラップ２３は、ウェットスーツ２１０の周囲長に途中まで巻き付く。当業者は、１又は複数の固定機構２６が、ベルクロ（登録商標）、ボタン、磁石、フリクションロック、又はその他何らかの機械的係止装置を含み得るがこれらに限定されない、１又は複数のストラップ２３が実質的に移動するのを防止するために使用される様々な異なる機構であり得ることを、認識するだろう。
【００３７】
図２Ｂは、腰部分２２０の周りに外部ストラップを有するウェットスーツ２１０の背面図を示す。特定の実施形態では、１又は複数のストラップ２３は、１又は複数のストラップアンカー部分２７を備えることができる。特定の実施形態では、１又は複数のストラップアンカー部分２７は、１又は複数の固定機構２６として１又は複数のストラップ２３の反対端に設けられることが可能である。特定の実施形態では、１又は複数のストラップアンカー部分２７は、ウェットスーツ２１０の外面に永久的に取り付けられることが可能である。特定の実施形態では、１又は複数のストラップアンカー部分２７は、１又は複数のストラップ２３がウェットスーツ２１０と共に形成されるように、ウェットスーツ２１０と一体であり得る。１又は複数のストラップアンカー部分２７は、接着剤の使用、縫合、リキッドシーム、接合、化学的又は機械的結合のその他の方法、又はこれらの何らかの組み合わせを含むがこれらに限定されない方法で、ウェットスーツ２１０に取り付けられることが可能である。特定の実施形態では、１又は複数のストラップアンカー部分２７は、ウェットスーツ材料に埋め込まれることが可能である。特定の実施形態では、１又は複数のストラップアンカー部分２７は、ウェットスーツ２１０の外面に取り外し可能に接続され得る。当業者は、１又は複数のストラップアンカー部分２７が、ベルクロ（登録商標）、ボタン、磁石、フリクションロック、又はその他何らかの機械的係止装置を含み得るがこれらに限定されない様々な異なる機構を備え得ることを、認識するだろう。この実施形態では、ストラップ２３は、後部から前部まで延びている。特定の実施形態では、１又は複数のストラップ２３は、前部から後部まで延びることができる。特定の実施形態では、１又は複数のストラップアンカー部分２７はウェットスーツ２１０の前部分又は側方部分に設けられることが可能であり、１又は複数の固定機構２６はウェットスーツ２１０の後部分に設けられることが可能である。加えて、ウェットスーツ２１０は、後部から前部まで延びている１又は複数のストラップ２３と、前部から後部まで延びている１又は複数のストラップ２３とを備えることができる。
【００３８】
いくつかの実施形態では、ウェットスーツ２１０は、１又は複数のベルトループ２９を備えることができる。１又は複数のベルトループ２９は、１又は複数のストラップ２３を保持することができる。１又は複数のストラップ２３を保持することにより、１又は複数のベルトループ２９は、１又は複数のストラップ２３の少なくとも一部が１又は複数のストラップアンカー部分２７からぶら下がるのを防止することができる。単一のストラップ２３がある実施形態では、１又は複数のベルトループ２９は、１又は複数の固定機構２６が１又は複数のストラップ２３をウェットスーツ２１０に固定していないときに、単一のストラップ２３がウェットスーツ２１０から落ちるのを防止することができる。
【００３９】
図２Ｃは、図２Ａからのウェットスーツ２１０の部分右側面図を示す。いくつかの実施形態では、ウェットスーツ２１０の右側面図は、ウェットスーツ２１０の左側面図と実質的に対称である。いくつかの実施形態では、ウェットスーツ２１０の右側面図は、ウェットスーツ２１０の左側面図と実質的に対称ではない。
【００４０】
図３Ａから図３Ｃは、１又は複数の内部又は外部引張機構を有するウェットスーツ３１０の実施形態を示す。図示される実施形態では、引張機構は１又は複数のストラップ２３である。１又は複数のストラップ２３は、ウェットスーツ２１０内に内側部分を含む。たとえば、ストラップ２３の内側部分は、ウェットスーツ３１０の腰部分３２０に設けられている。内部構成要素は、図３Ｂ及び図３Ｃに破線で示されている。いくつかの実施形態では、１又は複数のストラップ２３により、着用者は、腰部分３２０によって着用者の腰仙部に提供されるサポートのレベルを選択的に変更できるようにする。特定の実施形態では、１又は複数のストラップ２３の各々は、中央部分及び１又は複数の末端部分を備えることができる。特定の実施形態では、１又は複数の末端部分は、ウェットスーツ材料の少なくとも１つの層を通過する。
【００４１】
図３Ａは、腰部分３２０の周りに部分的内部ストラップ２３を有するウェットスーツ３１０の正面図である。この図は、１又は複数のストラップ２３が、ウェットスーツ３１０の外側に配置された外側部分を有する実施形態を示す。特定の実施形態では、１又は複数のストラップ２３の１又は複数の外側部分は１又は複数の固定機構２６によって固定されている。１又は複数の固定機構２６は、１又は複数のストラップ２３の１又は複数の外側部分をウェットスーツ３１０に固定することができる。特定の実施形態では、１又は複数の固定機構２６は、１又は複数のストラップ２３と一体化されている。特定の実施形態では、１又は複数の固定機構２６は、１又は複数のストラップ２３から分離している。１又は複数の固定機構２６は、一旦係合したら、１又は複数のストラップ２３が移動するのを実質的に防止することができる。いくつかの実施形態では、１又は複数の固定機構２６は、腰部分３２０が張力を失うのを防止することができる。
【００４２】
図３Ｂは、図３Ａからのウェットスーツ３１０の背面図を示す。内部構成要素は、破線で示されている。図３Ｃは、ウェットスーツ３１０及び腰部分３２０の周りに延在するストラップ２３の部分右側面図を示す。
【００４３】
特定の実施形態では、１又は複数の開口部２５がウェットスーツ３１０に設けられている。１又は複数の開口部２５は、腰部分３２０に配置されることが可能である。特定の実施形態では、１又は複数の開口部２５は、ウェットスーツ３１０の上部分３４０に配置されている。特定の実施形態では、１又は複数のストラップ２３は１又は複数の開口部２５を通過する。１又は複数の固定機構２６は、１又は複数の開口部２５の中又は付近に設けられることが可能である。たとえば、特定の実施形態では、１又は複数の開口部２５は、１又は複数のストラップ２３が通るプラスチックリング又は矩形であり得る。特定の実施形態では、１又は複数の固定機構２６は、移動を防止するために、１又は複数のストラップ２３を締め付けることができる。特定の実施形態では、１又は複数の固定機構２６は、１又は複数のストラップ２３と１又は複数の固定機構２６との間に摩擦を提供することによって、１又は複数のストラップ２３の移動を防止することができる。いくつかの実施形態では、１又は複数の開口部２５は、１又は複数のガスケット又はシールを有することができる。１又は複数のガスケット又はシールは、追加の水がウェットスーツ３１０に流れ込むのを大幅に防止しながら、１又は複数のストラップ２３が１又は複数の開口部２５を通過できるようにすることができる。特定の実施形態では、図３Ｂに示されるように、あるストラップ２３の中央部分が別のストラップ２３の中央部分と接続しないように、各ストラップ２３の中央部分は腰部分３２０で終了することができる。
【００４４】
特定の実施形態では、１又は複数のストラップ２３は、１又は複数のストラップアンカー部分２７を備えることができる。特定の実施形態では、１又は複数のストラップアンカー部分２７は、１又は複数の固定機構２６から１又は複数のストラップ２３の反対端に設けられることが可能である。特定の実施形態では、１又は複数のストラップアンカー部分２７は、１又は複数のストラップ２３がウェットスーツ３１０と共に形成されるように、ウェットスーツ３１０と一体であり得る。１又は複数のストラップアンカー部分２７は、接着剤の使用、縫合、リキッドシーム、接合、化学的又は機械的結合のその他の方法、又はこれらの何らかの組み合わせを含むがこれらに限定されない方法で、ウェットスーツ３１０に取り付けられることが可能である。特定の実施形態では、１又は複数のストラップアンカー部分２７は、ウェットスーツ材料に埋め込まれることが可能である。特定の実施形態では、各ストラップ２３の中央部分は、ウェットスーツ材料の第１層に固定されている。特定の実施形態では、各ストラップ２３の中央部分は、ウェットスーツ材料の第２層に固定されている。特定の実施形態では、各ストラップ２３の中央部分は、ウェットスーツ材料の２つの層の間に固定されている。当業者は、１又は複数のストラップアンカー部分２７が、ベルクロ（登録商標）、ボタン、磁石、フリクションロック、又はその他何らかの機械的係止装置を含み得るがこれらに限定されない様々な異なる機構を備え得ることを、認識するだろう。この実施形態では、ストラップ２３は、後部から前部まで延びている。特定の実施形態では、１又は複数のストラップ２３は、前部から後部まで延びることができる。特定の実施形態では、１又は複数のストラップアンカー部分２７はウェットスーツ３１０の前部分又は側方部分に設けられることが可能であり、１又は複数の固定機構２６はウェットスーツ３１０の後部分に設けられることが可能である。加えて、ウェットスーツ３１０は、後部から前部まで延びている１又は複数のストラップ２３と、前部から後部まで延びている１又は複数のストラップ２３とを備えることができる。
【００４５】
図３Ｃは、腰部分３２０の周りに部分的内部ストラップを有するウェットスーツ３１０の部分右側面図を示す。いくつかの実施形態では、ウェットスーツ３１０の右側面図は、ウェットスーツ３１０の左側面図と実質的に対称である。いくつかの実施形態では、ウェットスーツ３１０の右側面図は、ウェットスーツ３１０の左側面図と実質的に対称ではない。
【００４６】
図４Ａから図４Ｅは、１又は複数のファスナー２２３の形態の１又は複数の引張機構を備える腰部分４２０を有するウェットスーツ４１０の実施形態を示す。図４Ａは、ウェットスーツ４１０の正面図を示す。図４Ｂは、円４Ｂ−４Ｂで記された図４Ａのウェットスーツ４１０の一部の拡大図を示す。特定の実施形態では、腰部分４２０は、１又は複数の引張ファスナー２２３を備えることができる。いくつかの実施形態では、１又は複数の引張ファスナー２２３は、ウェットスーツ４１０の前半分に設けられることが可能である。いくつかの実施形態では、１又は複数の引張ファスナー２２３は、ウェットスーツ４１０の左側及び／又は右側に設けられることが可能である。１又は複数の引張ファスナー２２３は、腰部分４２０を引っ張るように作用することができる。
【００４７】
特定の実施形態では、腰部分４２０は、１又は複数のスロット２２４を備えることができる。１又は複数の引張ファスナー２２３は、ウェットスーツ材料内の１又は複数のスロット２２４を一緒に締結することができる。いくつかの実施形態では、１又は複数のスロット２２４は垂直であり、１又は複数のポケット２０１によってウェットスーツ４１０の内側部分で囲まれている。特定の実施形態では、１又は複数のポケット２０１は、ウェットスーツ４１０に水が浸入するのを防止するように機能する障壁材料を含む。１又は複数のポケット２０１は、１又は複数の引張ファスナー２２３が開けられるか又は開放位置にあるときに、ウェットスーツ４１０に水が浸入するのを防止するように機能することができる。特定の実施形態では、腰部分４２０の一部は、１又は複数のポケット２０１に直接接続することができる。特定の実施形態では、腰部分４２０の一部は、１又は複数の引張ファスナー２２３に直接接続することができる。特定の実施形態では、腰部分４２０の一部は、障壁材料に直接接続することができる。特定の実施形態では、１又は複数のストラップ２３は、１又は複数の引張ファスナー２２３に直接接続することができる。特定の実施形態では、１又は複数のストラップ２３は、１又は複数のポケット２０１の障壁材料に直接接続することができる。
【００４８】
特定の実施形態では、引張ファスナー２２３を閉めることで、ウェットスーツ４１０の腰部分４２０の張力を増加させる。特定の実施形態では、１又は複数のポケット２０１は、引張ファスナー２２３が開けられると、ウェットスーツ４１０の周囲長を引き伸ばして増大させることができる。反対に、引張ファスナー２２３を閉じることで、１又は複数のポケット２０１のたるみを吸収させることができる。１又は複数のポケット２０１のたるみの吸収は、ウェットスーツ４１０の周囲長を短くさせることができる。この短縮は、ウェットスーツ４１０を着用している人の周囲長によって制限され得る。この制限は、周囲長の短縮ではなく、腰部分４２０の構成要素を引き伸ばすことができる。この伸長により、腰部分４２０に引張力を生じ、１又は複数の引張ファスナー２２３又は１又は複数のポケット２０１を引っ張ることができる。腰部分４２０の張力を増加させることにより、腰仙又は脊椎傍領域に提供されるサポートのレベルを高めることができる。
【００４９】
図４Ｃは、図４Ａのウェットスーツ４１０の裏面図を示す。図４Ｄは、図４Ａのウェットスーツ４１０の部分右側面図を示す。特定の実施形態では、１又は複数のスロット２２４は、腰部分４２０の右手側及び左手側にある。いくつかの実施形態では、ウェットスーツ４１０の右側面図は、ウェットスーツ４１０の左側面図と実質的に対称である。いくつかの実施形態では、ウェットスーツ４１０の右側面図は、ウェットスーツ４１０の左側面図と実質的に対称ではない。
【００５０】
１又は複数のスロット２２４は、腰部分４２０を締め付けるために使用され得る。２つ以上のスロット２２４を有する実施形態では、張力の量は、引張ファスナー２２３のいくつかを徐々に閉めることによって調整され得る。特定の実施形態では、障壁材料は、１又は複数のスロット２２４の第１縁部から第２縁部まで伸長できる。障壁材料は、開放又は開いた位置にあるときに、スロット２２４によって生成された開口部の内側部分を完全に囲むことができる。特定の実施形態では、ファスナー２２３は、閉鎖又は閉じた位置にあるときに、ウェットスーツ４１０に侵入する水に対する障壁を形成することができる。図４Ａから図４Ｅに示される実施形態では、引張ファスナー２２３はジッパーである。しかしながら、当業者は、使用され得るその他多くのタイプの引張ファスナー２２３があることを理解するだろう。特定の実施形態では、１つの引張ファスナー２２３が使用され得る。特定の実施形態では、複数の引張ファスナー２２３が使用され得る。加えて、図４Ａから図４Ｅに示される腰部分４２０は、ウェットスーツ４１０の前部分を横切って延在しない。特定の実施形態では、腰部分４２０は、ウェットスーツ４１０の後部及び前部の両方に設けられる。
【００５１】
図４Ｅは、図４Ｄのウェットスーツ４１０の線４Ｅ−４Ｅに沿って腰部分４２０を通る水平断面図を示す。特定の実施形態では、腰部分４２０は、ウェットスーツ材料の第１層１２ａを備える。特定の実施形態では、腰部分４２０は、ウェットスーツ材料の第２層１２ｂを備える。特定の実施形態では、ウェットスーツ材料の第１層１２ａは、腰部分４２０の内層である。特定の実施形態では、ウェットスーツ材料の第２層１２ｂは、腰部分４２０の外層である。特定の実施形態では、１又は複数のストラップ２３は、ウェットスーツ材料の第１層１２ａとウェットスーツ材料の第２層１２ｂとの間に設けられる。特定の実施形態では、腰部分４２０は、ウェットスーツ４１０の前部分及び後部分に設けられる。特定の実施形態では、腰部分４２０は、１又は複数のスロット２２４の前側及び後側の両方で１又は複数のスロット２２４に接続する。腰部分４２０は、他のウェットスーツ材料ほど容易に変形しないより剛性の前部分を提供できるので、ウェットスーツ４１０の前部分及び後部分に設けられることにより、腰部分４２０は、後部のみの場合よりも大きい張力を提供することができる。特定の実施形態では、腰部分４２０は、ウェットスーツ４１０の周囲長を前部から後部まで取り囲む。特定の実施形態では、腰部分４２０は、図４Ｅの図からウェットスーツ４１０を見たときに垂直スロットによってのみ分割され得る。
【００５２】
図５Ａから図５Ｆは、１又は複数の外部ストラップ２３及び内部腰部サポート機能を有するウェットスーツ５１０の実施形態を示す。図５Ａは、ウェットスーツ５１０の正面図を示す。特定の実施形態では、ウェットスーツ５１０は、１又は複数の引張機構を備えることができる。少なくとも１つの引張機構は、ストラップ２３を備えることができる。腰部分５２０は、１又は複数のストラップ２３を備えることができる。１又は複数のストラップ２３は、完全にウェットスーツ５１０の外側に設けられることが可能である。特定の実施形態では、１又は複数のストラップ２３は、ウェットスーツ５１０の全周よりも多く巻き付く。特定の実施形態では、１又は複数のストラップ２３は、弾性材料を備える。特定の実施形態では、１又は複数のストラップ２３は、ウェットスーツ材料を備えることができる。特定の実施形態では、１又は複数のストラップ２３は、ウェットスーツ材料の１又は複数のバンド又はストラップを備えることができる。特定の実施形態では、１又は複数のストラップ２３は、実質的に非弾性の材料を備えることができる。
【００５３】
１又は複数のストラップ２３は、１又は複数の固定機構２６を備えることができる。特定の実施形態では、１又は複数のストラップ２３の各々は、中央部分及び１又は複数の末端部分を備えることができる。特定の実施形態では、１又は複数のストラップ２３は、ウェットスーツ５１０の右手側に設けられた１又は複数の右ストラップと、ウェットスーツ５１０の左手側に設けられた１又は複数の左ストラップとを備える。右及び左ストラップを有する特定の実施形態では、１又は複数のストラップ２３は、ストラップアンカー部分２７、中央部分、及び固定機構２６を各々備えることができる。１又は複数の固定機構２６は、ウェットスーツ５１０の腰部分５２０の外面に１又は複数のストラップ２３を取り付けるために使用され得る。特定の実施形態では、１又は複数の固定部分２６は、１又は複数のストラップ２３の末端に形成された翼である。ウェットスーツ５１０の腰部分５２０の外面に１又は複数のストラップ２３を取り付けることにより、１又は複数のストラップ２３が腰部分５２０に対する張力を維持できるようにし得る。１又は複数の固定機構２６は、一旦係合したら、１又は複数のストラップ２３が移動するのを実質的に防止することができる。特定の実施形態では、腰部分５２０の外面は、１又は複数の固定機構２６と係合、相互作用、又は嵌合する１又は複数の部分を有することができる。１又は複数の固定機構２６がベルクロ（登録商標）を備える特定の実施形態では、１又は複数の固定機構２６はベルクロ（登録商標）フックを備えることができる。１又は複数の固定機構２６がベルクロ（登録商標）フックを備える特定の実施形態では、腰部分５２０の１又は複数の部分は、ベルクロ（登録商標）ループを備えることができる。着用者は、１又は複数のストラップ２３の１又は複数の末端部分の位置を変更することによって、張力を加えることができる。いくつかの実施形態では、１又は複数のストラップ２３は、ウェットスーツ５１０の全周に巻き付く。特定の実施形態では、１又は複数のストラップ２３は、ウェットスーツ５１０の周囲長に途中まで巻き付く。
【００５４】
図５Ｂは、内部構成要素が破線で示された、図５Ａのウェットスーツ５１０の背面図を示す。図５Ｃは、線５Ｃ−５Ｃで囲まれた図５Ｂのウェットスーツ５１０の腰部分５２０の拡大図を示す。内部構成要素は、図５Ｂ及び図５Ｃに破線で示されている。特定の実施形態では、１又は複数のストラップ２３は、１又は複数のストラップアンカー部分２７を備えることができる。特定の実施形態では、１又は複数のストラップアンカー部分２７は、１又は複数の固定機構２６から１又は複数のストラップ２３の反対端に設けられることが可能である。特定の実施形態では、１又は複数のストラップアンカー部分２７は、ウェットスーツ５１０の外面に永久的に取り付けられることが可能である。特定の実施形態では、１又は複数のストラップアンカー部分２７は、１又は複数のストラップ２３がウェットスーツ５１０と共に形成されるように、ウェットスーツ５１０と一体であり得る。１又は複数のストラップアンカー部分２７は、接着剤の使用、縫合、リキッドシーム、接合、化学的又は機械的結合のその他の方法、又はこれらの何らかの組み合わせを含むがこれらに限定されない方法で、ウェットスーツ５１０に取り付けられることが可能である。特定の実施形態では、１又は複数のストラップアンカー部分２７は、ウェットスーツ材料に埋め込まれることが可能である。特定の実施形態では、１又は複数のストラップアンカー部分２７は、ウェットスーツ５１０の外面に取り外し可能に接続され得る。当業者は、１又は複数のストラップアンカー部分２７が、ベルクロ（登録商標）、ボタン、磁石、フリクションロック、又はその他何らかの機械的係止装置を含み得るがこれらに限定されない様々な異なる機構を備え得ることを、認識するだろう。この実施形態では、ストラップ２３は、後部から前部まで延びている。特定の実施形態では、１又は複数のストラップ２３は、前部から後部まで延びることができる。特定の実施形態では、１又は複数のストラップアンカー部分２７はウェットスーツ５１０の前部分又は側方部分に設けられることが可能であり、１又は複数の固定機構２６はウェットスーツ５１０の後部分に設けられることが可能である。加えて、ウェットスーツ５１０は、後部から前部まで延びている１又は複数のストラップ２３と、前部から後部まで延びている１又は複数のストラップ２３とを備えることができる。
【００５５】
いくつかの実施形態では、ウェットスーツ５１０は、１又は複数のベルトループ２９を備えることができる。１又は複数のベルトループ２９は、１又は複数のストラップ２３を保持することができる。１又は複数のストラップ２３を保持することにより、１又は複数のベルトループ２９は、１又は複数のストラップ２３の少なくとも一部が１又は複数のストラップアンカー部分２７からぶら下がるのを防止することができる。単一のストラップ２３がある実施形態では、１又は複数のベルトループ２９は、１又は複数の固定機構２６が１又は複数のストラップ２３をウェットスーツ５１０に固定していないときに、単一のストラップ２３がウェットスーツ５１０から落ちるのを防止することができる。
【００５６】
腰部分５２０は、１又は複数の支柱２２を備えることができる。特定の実施形態では、１又は複数の支柱２２は、垂直に配置されることが可能である。１又は複数の支柱２２は、腰部分５２０の上部から底部まで延びることができる。いくつかの実施形態では、１又は複数の支柱２２は、腰部分５２０の一部にのみ及ぶように配置されることが可能である。１又は複数の支柱２２は、腰仙及び／又は脊椎傍腰部を少なくとも部分的に横切って延在し得る。１又は複数の支柱２２は、腰仙及び／又は脊椎傍腰部の筋肉に圧力を加えることができる。この圧力は、腰仙及び／又は脊椎傍腰部の筋肉の緊張を緩和し得る。当業者は、１又は複数の支柱２２が、高密度ポリエチレン、その他の類似の材料その他のプラスチック、金属、金属合金、ポリマー、又はこれらの何らかの組み合わせを含むがこれらに限定されない、多くの異なる実質的に剛性の材料から作られることが可能であることを認識するだろう。
【００５７】
特定の実施形態では、腰部分５２０は、１又は複数の圧力パッド２４を備える。特定の実施形態では、１又は複数の圧力パッド２４は、１又は複数のストラップ２３に結合され得る。１又は複数の圧力パッド２４は、腰部分５２０の上部から底部まで延びることができる。いくつかの実施形態では、１又は複数の圧力パッド２４は、腰部分５２０の一部にのみ及ぶように配置されることが可能である。１又は複数の圧力パッド２４は、腰仙及び／又は脊椎傍腰部を少なくとも部分的に横切って延在し得る。特定の実施形態では、１又は複数のストラップ２３に張力がかかると、１又は複数の圧力パッド２４は、腰仙及び／又は脊椎傍腰部の筋肉に圧力を加えることができる。特定の実施形態では、１又は複数の圧力パッド２４は、１又は複数の支柱２２と一直線に配置されている。１又は複数の圧力パッド２４は、１又は複数の支柱２２の間に設けられることが可能である。特定の実施形態では、１又は複数の圧力パッド２４は、腰部分５２０の長さに沿って離間している。特定の実施形態では、１又は複数の圧力パッド２４は、１又は複数の支柱２２の内側に設けられることが可能である。いくつかの実施形態では、１又は複数の圧力パッド２４は、１又は複数の支柱２２と１又は複数のストラップ２３との間に設けられることが可能である。特定の実施形態では、１又は複数の圧力パッド２４は、１又は複数の支柱２２及び１又は複数のストラップ２３の両方の外側に設けられることが可能である。特定の実施形態では、１又は複数の圧力パッド２４は、垂直に配置されることが可能である。特定の実施形態では、１又は複数の圧力パッド２４は、水平に配置されることが可能である。特定の実施形態では、１又は複数の圧力パッド２４は、垂直と水平との間の何らかの角度で配置されることが可能である。特定の実施形態では、１又は複数の圧力パッド２４は、腰部分５２０の完全に垂直な、水平な、又は傾斜した長さに沿って延在し得る。１又は複数の圧力パッド２４は、発泡体、ゴム、ラテックス、又はこれらの何らかの組み合わせを含むがこれらに限定されない、様々な異なる材料から作られることが可能である。いくつかの実施形態では、１又は複数の圧力パッド２４は、空気で満たされたポケットであるか、又はこれを含むことが可能である。空気で満たされたポケットは、ポケットの中の空気の量を調整可能にし得る。１又は複数の圧力パッド２４が空気で満たされたポケットであるか又はこれを含む実施形態では、１又は複数の圧力パッド２４は、ウェットスーツ５１０を着用している人に追加の浮力を提供することができる。特定の実施形態では、１又は複数の圧力パッド２４は、背面のくびれの曲線に設けられることが可能である。
【００５８】
図５Ｄは、図５Ａのウェットスーツ５１０の部分右側面図を示す。特定の実施形態では、１又は複数のベルトループ２９は、ウェットスーツ５１０の右側及び左側の両方にある。特定の実施形態では、１又は複数のストラップ２３は、前部分に到達する前に終了し得る。この構成は、着用者がその上に乗ることになるウェットスーツの腹部に１又は複数のストラップ２３又は１又は複数の固定機構２６が設けられることによる不快感を防止することができる。後方から前方に及び前方から後方に延在する１又は複数のストラップ２３を有する構成では、前部から後部に延在する１又は複数のストラップ２３は、図５Ｄで固定機構２６がある場所に近い場所で腰部分５２０の両側に設けられたストラップアンカー部分２７を有し得る。いくつかの実施形態では、ウェットスーツ５１０の右側面図は、ウェットスーツ５１０の左側面図と実質的に対称である。いくつかの実施形態では、ウェットスーツ５１０の右側面図は、ウェットスーツ５１０の左側面図と実質的に対称ではない。
【００５９】
図５Ｅは、図５Ｃの線５Ｅ−５Ｅに沿ったウェットスーツ５１０の一実施形態の断面図を示す。図５Ｅは、腰部分５２０の外面に取り付けられたストラップ２３でウェットスーツ５１０に組み込まれた腰部サポート用構成要素を示す。図５Ｆは、図５Ｃの線５Ｆ−５Ｆに沿ったウェットスーツ５１０の一実施形態の断面図を示す。図示されていないが、特定の実施形態では、１又は複数の支柱２２は、発泡ゴム又はその他のウェットスーツ材料の内側又は外側に設けられることが可能である。１又は複数の支柱２２が発泡ゴム又はその他のウェットスーツ材料の内側又は外側に配置されている実施形態では、１又は複数の支柱２２、１又は複数のストラップ２３、及び／又は１又は複数の圧力パッド２４は、ウェットスーツ５１０に取り外し可能に組み込まれることが可能である。特定の実施形態では、ウェットスーツ材料のバンドが、１又は複数の支柱２２、１又は複数のストラップ２３、及び／又は１又は複数の圧力パッド２４に接続している。特定の実施形態では、ウェットスーツ材料のバンド又は大きいストラップにより、１又は複数の支柱２２、１又は複数のストラップ２３、及び／又は１又は複数の圧力パッド２４をより容易に取り外し及び／又は交換できるようにし得る。１又は複数の支柱２２、１又は複数のストラップ２３、及び／又は１又は複数の圧力パッド２４はまた、発泡ゴム又は別のウェットスーツ材料の２つの分離した層の間に配置されることも可能である。
【００６０】
図６Ａから図６Ｆは、部分的内部ストラップ２３及び腰部サポート機能を有するウェットスーツ６１０の実施形態を示す。図６Ａは、部分的内部ストラップ２３及び腰部サポート機能を有するウェットスーツ６１０の実施形態の正面図を示す。特定の実施形態では、ウェットスーツ６１０は、少なくとも１つの引張機構を含むことができる。少なくとも１つの引張機構は、ストラップ２３を備えることができる。腰部分６２０は、１又は複数のストラップ２３を備えることができる。１又は複数のストラップ２３により、着用者は、腰部分６２０によって着用者の腰仙部に提供されるサポートのレベルを選択的に変更できるようにし得る。
【００６１】
図６Ｂは、図６Ａのウェットスーツ６１０の背面図である。特定の実施形態では、ウェットスーツ６１０には１又は複数の開口部２５がある。１又は複数の開口部２５は、腰部分６２０に配置されることが可能である。特定の実施形態では、１又は複数の開口部２５は、ウェットスーツ６１０の上部分６４０に配置されている。特定の実施形態では、１又は複数のストラップ２３は１又は複数の開口部２５を通過する。１又は複数の固定機構２６は、１又は複数の開口部２５の中又は付近に設けられることが可能である。たとえば、特定の実施形態では、１又は複数の開口部２５は、１又は複数のストラップ２３が通るプラスチックリング又は矩形であり得る。特定の実施形態では、１又は複数の固定機構２６は、移動を防止するために、１又は複数のストラップ２３を締め付けることができる。特定の実施形態では、１又は複数の固定機構２６は、１又は複数のストラップ２３と１又は複数の固定機構２６との間に摩擦を提供することによって、１又は複数のストラップ２３の移動を防止することができる。いくつかの実施形態では、１又は複数の開口部２５は、１又は複数のガスケット又はシールを有することができる。１又は複数のガスケット又はシールは、追加の水がウェットスーツ６１０に流れ込むのを大幅に防止しながら、１又は複数のストラップ２３が１又は複数の開口部２５を通過できるようにすることができる。
【００６２】
図６Ｃは、線６Ｃ−６Ｃで囲まれた図６Ｂの腰部分６２０の拡大図である。内部構成要素は、図６Ｂ及び図６Ｃに破線で示されている。図６Ｄは、ウェットスーツ６１０の部分右側面図を示す。内部構成要素はまた、図６Ｃ及び図６Ｄに破線で示されている。いくつかの実施形態では、ウェットスーツ６１０の右側面図は、ウェットスーツ６１０の左側面図と実質的に対称である。いくつかの実施形態では、ウェットスーツ６１０の右側面図は、ウェットスーツ６１０の左側面図と実質的に対称ではない。
【００６３】
図６Ｅは、線６Ｅ−６Ｅで取られた図６Ｃの腰部分６２０の水平断面図を示す。図６Ｆは、線６Ｆ−６Ｆで取られた図６Ｃの腰部分６２０の垂直断面図である。腰部分６２０は、１又は複数のストラップ２３を備えることができる。特定の実施形態では、１又は複数のストラップ２３の各々は、中央部分及び１又は複数の末端部分を備えることができる。特定の実施形態では、１又は複数の末端部分は、ウェットスーツ材料の少なくとも１つの層を通過する。いくつかの実施形態では、１又は複数の末端部分は、図６Ｄに示されるように、内側から外側に、又はその反対に、ウェットスーツ６１０の厚さ全体を通過する。特定の実施形態では、図６Ｅに示されるように、あるストラップ２３の中央部分が別のストラップ２３の中央部分と接続しないように、各ストラップ２３の中央部分は腰部分６２０で終了することができる。特定の実施形態では、各ストラップ２３の中央部分は、ウェットスーツ材料の第１層１２ａに固定されている。特定の実施形態では、各ストラップ２３の中央部分は、ウェットスーツ材料の第２層１２ｂに固定されている。特定の実施形態では、各ストラップ２３の中央部分は、ウェットスーツ材料の２つの層１２ａ及び１２ｂの間に固定されている。１又は複数のストラップ２３の１又は複数の末端部分がウェットスーツ６１０の外側に配置された部分を有する実施形態では、これらの１又は複数の末端部分は、腰部分６２０に張力を加えるために着用者によって使用され得る。着用者は、１又は複数のストラップ２３の１又は複数の末端部分に張力を印加する。着用者は、１又は複数のストラップ２３の１又は複数の末端部分の位置を変更することによって、張力を加えることができる。いくつかの実施形態では、ウェットスーツ６１０は、１又は複数の固定機構２６を備えることができる。いくつかの実施形態では、１又は複数のストラップ２３は、１又は複数の固定機構２６を有することができる。いくつかの実施形態では、１又は複数の固定機構２６は、図６Ｄに示されるように、ストラップ２３上にベルクロ（登録商標）フック、及び腰部分６２０の側にベルクロ（登録商標）ループを備えることができる。いくつかの実施形態では、１又は複数のストラップ２３は、ウェットスーツ６１０の全周に巻き付く。特定の実施形態では、１又は複数のストラップ２３は、ウェットスーツ６１０の周囲長に途中まで巻き付く。特定の実施形態では、１又は複数のストラップ２３は、ウェットスーツ６１０の全周よりも多く巻き付く。当業者は、１又は複数の固定機構２６が、ベルクロ（登録商標）、ボタン、磁石、フリクションロック、又はその他何らかの機械的係止装置を含み得るがこれらに限定されない、１又は複数のストラップ２３が実質的に移動するのを防止するために使用される様々な異なる機構であり得ることを、認識するだろう。
【００６４】
１又は複数のストラップ２３は、張力がウェットスーツ６１０の外側から調整され得るように、ウェットスーツ６１０の外側で終了することができる。特定の実施形態では、１又は複数のストラップ２３は、水平に配置されることが可能である。いくつかの実施形態では、１又は複数のストラップ２３の少なくとも１つは垂直に配置されている。いくつかの実施形態では、１又は複数のストラップ２３の少なくとも１つは、垂直と水平との間の角度で配置されている。特定の実施形態では、１又は複数のストラップ２３は、弾性材料を備える。特定の実施形態では、１又は複数のストラップ２３は、ウェットスーツ材料を備えることができる。たとえば、ウェットスーツ材料は、大きいストラップ又はバンドの形状を有することができる。特定の実施形態では、１又は複数のストラップ２３は、ウェットスーツ材料の１又は複数のバンド又はストラップを備えることができる。特定の実施形態では、１又は複数のストラップ２３は、１又は複数のストラップ２３がウェットスーツ６１０と共に形成されるように、ウェットスーツ６１０と一体であり得る。特定の実施形態では、１又は複数のストラップ２３は、実質的に非弾性の材料を備えることができる。当業者は、１又は複数のストラップ２３が、ネオプレン、ポリエステル、天然又は合成ゴム、ラテックス、ビニル、ナイロン、低密度ポリエチレン、又はその他のプラスチック、ポリマー、又はこれらの何らかの組み合わせを含むがこれらに限定されない、多くの異なる材料から作られ得ることを認識するだろう。
【００６５】
腰部分６２０は、１又は複数の支柱２２を備えることができる。特定の実施形態では、１又は複数の支柱は、垂直に配置されることが可能である。１又は複数の支柱２２は、腰部分６２０の上部から底部まで延びることができる。いくつかの実施形態では、１又は複数の支柱２２は、腰部分６２０の一部にのみ及ぶように配置されることが可能である。１又は複数の支柱２２は、腰仙及び／又は脊椎傍腰部を少なくとも部分的に横切って延在し得る。いくつかの実施形態では、１又は複数の支柱２２は、１又は複数のストラップ２３に隣接して設けられることが可能である。特定の実施形態では、１又は複数の支柱２２は、１又は複数のストラップ２３に結合され得る。１又は複数のストラップ２３は、ウェットスーツ６１０の背面の周りに水平に配置されることが可能である。いくつかの実施形態では、１又は複数の支柱２２は、１又は複数のストラップ２３に直接接続されていない。特定の実施形態では、１又は複数のストラップ２３は、１又は複数の支柱２２に張力を加えるために使用され得る。１又は複数の支柱２２は、張力を腰仙及び／又は脊椎傍腰部の筋肉に圧力を伝達することができる。特定の実施形態では、１又は複数のストラップ２３は腰部分６２０に張力を加えるために使用され得る。この張力は、ひいては腰仙及び／又は脊椎傍腰部の筋肉に圧力を加えることができる。この圧力は、腰仙及び／又は脊椎傍腰部の筋肉の緊張を緩和し得る。
【００６６】
特定の実施形態では、内部又は外部引張機構は、１又は複数のストラップ２３に張力を印加又は伝達するために使用され得る。この引張機構は、弾性ストラップ、ワイヤ、歯車、滑車、ラッチ、及び／又は様々なその他のタイプの機械的又は電気的テンショナーで構成され得る。特定の実施形態では、引張機構は、ウェットスーツ６１０の外側のダイヤルに接続されている。ダイヤルは、１又は複数のストラップ２３の張力を増減するために使用され得る。特定の実施形態では、１又は複数のストラップ２３は引張機構であり得る。１又は複数のストラップ２３は、それ自体の弾性によって張力を受けることが可能である。１又は複数のストラップ２３は、教示された位置に固定されることによって、張力を受けることが可能である。
【００６７】
特定の実施形態では、腰部分６２０は、１又は複数の圧力パッド２４を備える。特定の実施形態では、１又は複数の圧力パッド２４は、１又は複数のストラップ２３に結合され得る。１又は複数の圧力パッド２４は、腰部分６２０の上部から底部まで延びることができる。いくつかの実施形態では、１又は複数の圧力パッド２４は、腰部分６２０の一部にのみ及ぶように配置されることが可能である。１又は複数の圧力パッド２４は、腰仙及び／又は脊椎傍腰部を少なくとも部分的に横切って延在し得る。特定の実施形態では、１又は複数のストラップ２３に張力がかかると、１又は複数の圧力パッド２４は、腰仙及び／又は脊椎傍腰部の筋肉に圧力を加えることができる。特定の実施形態では、１又は複数の圧力パッド２４は、１又は複数の支柱２２と一直線に配置されている。１又は複数の圧力パッド２４は、１又は複数の支柱２２の間に設けられることが可能である。特定の実施形態では、１又は複数の圧力パッド２４は、腰部分６２０の長さに沿って離間している。特定の実施形態では、１又は複数の圧力パッド２４は、１又は複数の支柱２２の内側に設けられることが可能である。いくつかの実施形態では、１又は複数の圧力パッド２４は、１又は複数の支柱２２と１又は複数のストラップ２３との間に設けられることが可能である。特定の実施形態では、１又は複数の圧力パッド２４は、１又は複数の支柱２２及び１又は複数のストラップ２３の両方の外側に設けられることが可能である。特定の実施形態では、１又は複数の圧力パッド２４は、垂直に配置されることが可能である。特定の実施形態では、１又は複数の圧力パッド２４は、水平に配置されることが可能である。特定の実施形態では、１又は複数の圧力パッド２４は、垂直と水平との間の何らかの角度で配置されることが可能である。特定の実施形態では、１又は複数の圧力パッド２４は、腰部分６２０の完全に垂直な、水平な、又は傾斜した長さに沿って延在し得る。１又は複数の圧力パッド２４は、発泡体、ゴム、ラテックス、又はこれらの何らかの組み合わせを含むがこれらに限定されない、様々な異なる材料から作られることが可能である。いくつかの実施形態では、１又は複数の圧力パッド２４は、空気で満たされたポケットであるか、又はこれを含むことが可能である。空気で満たされたポケットは、ポケットの中の空気の量を調整可能にし得る。１又は複数の圧力パッド２４が空気で満たされたポケットであるか又はこれを含む実施形態では、１又は複数の圧力パッド２４は、ウェットスーツ６１０を着用している人に追加の浮力を提供することができる。特定の実施形態では、１又は複数の圧力パッド２４は、背面のくびれの曲線に設けられることが可能である。
【００６８】
特定の実施形態では、１又は複数のストラップ２３は、１又は複数の支柱２２の外側に設けられることが可能である。１又は複数のストラップ２３は、１又は複数の支柱２２に張力を提供することができる。特定の実施形態では、１又は複数のストラップ２３は、１又は複数の支柱２２の内側に設けられる。特定の実施形態では、１又は複数のストラップ２３は、１又は複数の支柱２２の外側及び内側の両方に配置される。１又は複数のストラップ２３が１又は複数の支柱２２の外側及び内側の両方に配置される特定の実施形態では、各側の１又は複数のストラップ２３はその後、１又は複数のストラップ２３の末端部分に向かって単一のストラップ２３を形成するように、１又は複数のストラップ２３の中央部分から収束してもよい。２つ以上のストラップ２３がある実施形態では、ストラップ２３は、ストラップ２３の末端部分に向かってより少ないストラップ２３又は単一のストラップ２３を形成するように収束することができる。
【００６９】
複数のストラップ２３を有する特定の実施形態では、ストラップ２３は均一に離間し得る。複数のストラップ２３を有する特定の実施形態では、ストラップ２３は、腰仙及び／又は脊椎傍腰部に対して最適な量の圧力を提供するために、戦略的に配置されることが可能である。特定の実施形態では、ストラップ２３がなくてもよい。ストラップ２３がない特定の実施形態では、１又は複数の支柱２２又は１又は複数の圧力パッド２４は、ウェットスーツ６１０に埋め込まれることが可能である。ストラップ２３がない特定の実施形態では、腰部分６２０のウェットスーツ材料を使用して張力印加が実現され得る。加えて、いくつかの実施形態では、支柱２２がなくてもよい。いくつかの実施形態では、圧力パッド２４がなくてもよい。いくつかの実施形態では、１又は複数の支柱２２を１又は複数の圧力パッド２４に置き換えることができる。
【００７０】
特定の実施形態では、１又は複数のストラップ２３は、１又は複数のストラップアンカー部分２７を備えることができる。特定の実施形態では、１又は複数のストラップアンカー部分２７は、１又は複数の固定機構２６として１又は複数のストラップ２３の反対端に設けられることが可能である。特定の実施形態では、１又は複数のストラップアンカー部分２７は、１又は複数のストラップ２３がウェットスーツ６１０と共に形成されるように、ウェットスーツ６１０と一体であり得る。１又は複数のストラップアンカー部分２７は、接着剤の使用、縫合、リキッドシーム、接合、化学的又は機械的結合のその他の方法、又はこれらの何らかの組み合わせを含むがこれらに限定されない方法で、ウェットスーツ６１０に取り付けられることが可能である。特定の実施形態では、１又は複数のストラップアンカー部分２７は、ウェットスーツ材料に埋め込まれることが可能である。当業者は、１又は複数のストラップアンカー部分２７が、ベルクロ（登録商標）、ボタン、磁石、フリクションロック、又はその他何らかの機械的係止装置を含み得るがこれらに限定されない様々な異なる機構を備え得ることを、認識するだろう。この実施形態では、ストラップ２３は、後部から前部まで延びている。特定の実施形態では、１又は複数のストラップ２３は、前部から後部まで延びることができる。特定の実施形態では、１又は複数のストラップアンカー部分２７はウェットスーツ６１０の前部分又は側方部分に設けられることが可能であり、１又は複数の固定機構２６はウェットスーツ６１０の後部分に設けられることが可能である。加えて、ウェットスーツ６１０は、後部から前部まで延びている１又は複数のストラップ２３と、前部から後部まで延びている１又は複数のストラップ２３とを備えることができる。
【００７１】
図７Ａから図７Ｈは、１又は複数のファスナー２２３の形態の１又は複数の引張機構及び１又は複数の支柱２２及び／又は１又は複数の圧力パッド２４の形態の内部腰部サポート機能を備える腰部分７２０を有するウェットスーツ７１０の実施形態を示す。図７Ａは、ウェットスーツ７１０の正面図を示す。図７Ｂは、線７Ｂ−７Ｂで囲まれた図７Ａのウェットスーツ７１０の一部の拡大図を示す。
【００７２】
いくつかの実施形態では、１又は複数の引張ファスナー２２３は、ウェットスーツ７１０の前半分に設けられることが可能である。いくつかの実施形態では、１又は複数の引張ファスナー２２３は、ウェットスーツ７１０の左側及び／又は右側に設けられることが可能である。１又は複数の引張ファスナー２２３は、腰部分７２０を引っ張るように作用することができる。
【００７３】
特定の実施形態では、腰部分７２０は、１又は複数のスロット２２４を備えることができる。１又は複数の引張ファスナー２２３は、ウェットスーツ材料内の１又は複数のスロット２２４を一緒に締結することができる。いくつかの実施形態では、１又は複数のスロット２２４は、１又は複数のポケット２０１によってウェットスーツ７１０の内側部分で囲まれ得る。特定の実施形態では、１又は複数のポケット２０１は、ウェットスーツ７１０に水が浸入するのを防止する障壁材料を備える。１又は複数のポケット２０１は、１又は複数の引張ファスナー２２３が開けられたときに、ウェットスーツ７１０に水が浸入するのを防止するように機能することができる。特定の実施形態では、腰部分７２０の一部は、１又は複数のポケット２０１に直接接続することができる。特定の実施形態では、腰部分７２０の一部は、１又は複数の引張ファスナー２２３に直接接続することができる。特定の実施形態では、腰部分７２０の一部は、障壁材料に直接接続することができる。特定の実施形態では、１又は複数のストラップ２３は、１又は複数の引張ファスナー２２３に直接接続することができる。特定の実施形態では、１又は複数のストラップ２３は、障壁材料に直接接続することができる。
【００７４】
特定の実施形態では、引張ファスナー２２３を閉めることで、ウェットスーツ７１０の腰部分７２０の張力を増加させる。特定の実施形態では、１又は複数のポケット２０１は、引張ファスナー２２３が開けられると、ウェットスーツ７１０の周囲長を引き伸ばして増大させることができる。反対に、引張ファスナー２２３を閉じることで、１又は複数のポケット２０１のたるみを吸収させることができる。１又は複数のポケット２０１のたるみの吸収は、ウェットスーツ７１０の周囲長を短くさせることができる。この短縮は、ウェットスーツ７１０を着用している人の周囲長によって制限され得る。この制限は、周囲長の短縮ではなく、腰部分７２０の構成要素を引き伸ばすことができる。この伸長により、腰部分７２０に引張力を生じ、１又は複数の引張ファスナー２２３又は１又は複数のポケット２０１を引っ張ることができる。腰部分７２０の張力を増加させることにより、腰仙又は脊椎傍領域に提供されるサポートのレベルを高めることができる。
【００７５】
図７Ｃは、ウェットスーツ７１０の裏面図を示す。図７Ｄは、線７Ｃ−７Ｃで囲まれた図７Ｃの腰部分７２０の拡大図を示す。特定の実施形態では、腰部分７２０は、１又は複数のストラップ２３を備える。特定の実施形態では、腰部分７２０は、ウェットスーツ材料の第１層１２ａを備える。特定の実施形態では、腰部分７２０は、ウェットスーツ材料の第２層１２ｂを備える。特定の実施形態では、ウェットスーツ材料の第１層１２ａは、腰部分７２０の内層である。特定の実施形態では、ウェットスーツ材料の第２層１２ｂは、腰部分７２０の外層である。特定の実施形態では、１又は複数のストラップ２３は、ウェットスーツ材料の第１層１２ａとウェットスーツ材料の第２層１２ｂとの間に設けられる。特定の実施形態では、腰部分７２０は、１又は複数の支柱２２を備える。特定の実施形態では、１又は複数の支柱２２は、ウェットスーツ材料の第１層１２ａとウェットスーツ材料の第２層１２ｂとの間に設けられる。特定の実施形態では、腰部分７２０は、１又は複数の圧力パッド２４を備える。特定の実施形態では、１又は複数の圧力パッド２４は、ウェットスーツ材料の第１層１２ａとウェットスーツ材料の第２層１２ｂとの間に設けられる。特定の実施形態では、腰部分７２０は、ウェットスーツ７１０の前部分及び後部分に設けられる。特定の実施形態では、腰部分７２０は、１又は複数のスロット２２４の前側及び後側の両方で１又は複数のスロット２２４に接続する。腰部分７２０は、他のウェットスーツ材料の場合ほど容易に変形しないより剛性の前部分を提供できるので、ウェットスーツ７１０の前部分及び後部分に設けられることにより、腰部分７２０は、後部のみの場合よりも大きい張力を提供することができる。特定の実施形態では、腰部分７２０は、ウェットスーツ７１０の周囲長を前部から後部まで取り囲む。特定の実施形態では、腰部分７２０は、図７Ａの図からウェットスーツ７１０を見たときに垂直スロットによってのみ分割され得る。
【００７６】
図７Ｅは、線７Ｅ−７Ｅを横切って取られた図７Ｄの腰部分７２０の水平断面図を示す。図７Ｆは、線７Ｆ−７Ｆを横切って取られた図７Ｄの腰部分７２０の垂直断面図を示す。図７Ｇは、腰部サポートウェットスーツ７１０の胴体部分の右側面図を示す。いくつかの実施形態では、ウェットスーツ７１０の右側面図は、ウェットスーツ７１０の左側面図と実質的に対称である。図７Ｇは、引張ファスナー２２３を利用する腰部分７２０を有するウェットスーツ７１０の右側面図を示す。いくつかの実施形態では、ウェットスーツ７１０の右側面図は、ウェットスーツ７１０の左側面図と実質的に対称ではない。特定の実施形態では、腰部分７２０の右手側及び左手側に１又は複数のスロット２２４があり得る。
【００７７】
図７Ｈは、図７Ｇにおいて線７Ｈ−７Ｈを横切って取られた腰部分７２０の水平断面図である。垂直スロット２２４は、腰部分７２０を締め付けるために使用され得る。２つ以上の垂直スロット２２４を有する実施形態では、張力の量は、引張ファスナー２２３のいくつかを徐々に閉めることによって調整され得る。特定の実施形態では、障壁材料２０１は、１又は複数のスロット２２４の第１縁部から第２縁部まで伸長できる。障壁材料２０１は、開放又は開いた位置にあるときに、垂直スロット２２４によって生成された開口部の内側部分を完全に囲むことができる。特定の実施形態では、ファスナー２２３は、閉鎖又は閉じた位置にあるときに、ウェットスーツ７１０に侵入する水に対する障壁を形成することができる。図７Ａ及び図７Ｂに示される実施形態では、引張ファスナー２２３はジッパーである。しかしながら、当業者は、使用され得るその他多くのタイプの引張ファスナー２２３があることを理解するだろう。特定の実施形態では、１つの引張ファスナー２２３が使用され得る。特定の実施形態では、複数の引張ファスナー２２３が使用され得る。加えて、図７Ａから図７Ｈに示される腰部分７２０は、ウェットスーツ７１０の前部分を横切って延在しない。特定の実施形態では、腰部分７２０は、ウェットスーツ７１０の後部及び前部の両方に設けられる。
【００７８】
前述の説明は、本発明の特定の実施形態を詳述している。しかしながら、前述の内容が文章ではどれほど詳しく見えても、本発明が多くの方法で実践され得ることは、理解されるだろう。やはり上記で述べられたように、本発明の特定の特長又は態様を説明するときの特定の用語の使用は、その用語が関連付けられた本発明の特長又は態様のいずれかの具体的特性を含むようにその用語が本明細書で再定義されることを暗示すると解釈されるべきではないことに、留意すべきである。したがって、本発明の範囲は、添付請求項及びその任意の同等物にしたがって解釈されるべきである。
【図１Ａ】
2021508010.tif 000003
【図１Ｂ】
2021508010.tif 000004
【図１Ｃ】
2021508010.tif 000005
【図１Ｄ】
2021508010.tif 000006
【図１Ｅ】
2021508010.tif 000007
【図２Ａ】
2021508010.tif 000008
【図２Ｂ】
2021508010.tif 000009
【図２Ｃ】
2021508010.tif 000010
【図３Ａ】
2021508010.tif 000011
【図３Ｂ】
2021508010.tif 000012
【図３Ｃ】
2021508010.tif 000013
【図４Ａ】
2021508010.tif 000014
【図４Ｂ】
2021508010.tif 000015
【図４Ｃ】
2021508010.tif 000016
【図４Ｄ】
2021508010.tif 000017
【図４Ｅ】
2021508010.tif 000018
【図５Ａ】
2021508010.tif 000019
【図５Ｂ】
2021508010.tif 000020
【図５Ｃ】
2021508010.tif 000021
【図５Ｄ】
2021508010.tif 000022
【図５Ｅ】
2021508010.tif 000023
【図５Ｆ】
2021508010.tif 000024
【図６Ａ】
2021508010.tif 000025
【図６Ｂ】
2021508010.tif 000026
【図６Ｃ】
2021508010.tif 000027
【図６Ｄ】
2021508010.tif 000028
【図６Ｅ】
2021508010.tif 000029
【図６Ｆ】
2021508010.tif 000030
【図７Ａ】
2021508010.tif 000031
【図７Ｂ】
2021508010.tif 000032
【図７Ｃ】
2021508010.tif 000033
【図７Ｄ】
2021508010.tif 000034
【図７Ｅ】
2021508010.tif 000035
【図７Ｆ】
2021508010.tif 000036
【図７Ｇ】
2021508010.tif 000037
【図７Ｈ】
2021508010.tif 000038
【国際調査報告】
2021508010.tif 000039